(57)【要約】【課題】視聴者の視点移動を少なくして、視聴者にとって読みやすく操作が容易な画面表示を可能とする。【解決手段】電子番組表等に表示されるカーソルＣは、設定されたカーソル移動範囲Ｒでのみ可能となる。このため、カーソルＣを追う視聴者の視点の移動は、カーソル移動範囲Ｒの大きさに限定され、ユーザの視点の移動量が多くなって見にくくなるという問題は生じない。また電子番組表自体は、従来と同様に画面全体に表示されている。そして電子番組表の任意の位置にカーソルＣを移動させる場合、目的の位置がカーソル移動範囲Ｒの中に含まれていれば、そのままカーソルを移動させることができる。またカーソル移動範囲Ｒの外に存在する位置にカーソルを移動させたい場合には、電子番組表自体を画面内でスクロールさせて、目的の部分をカーソル移動範囲Ｒの中に移動させることができる。【選択図】図３
2007329571.tif 000002
【特許請求の範囲】
【請求項１】
カーソルにより操作を行う表示画像を生成して出力する手段と、
カーソルの移動操作を受け付ける操作入力手段とを有する画像処理装置であって、
該画像処理装置は、カーソルの移動可能な範囲であるカーソル移動範囲が設定され、前記表示画像において、前記カーソル移動範囲の中でのみカーソルの移動を可能とすることを特徴とする画像処理装置。
【請求項２】
請求項１に記載の画像処理装置において、前記カーソル移動範囲を設定するためのカーソル移動範囲設定手段を有することを特徴とする画像処理装置。
【請求項３】
請求項１または２に記載の画像処理装置において、前記カーソル移動範囲の最も外側にカーソルが位置し、さらに該カーソルが前記カーソル移動範囲の外側に向かって移動させるような入力操作があった場合、前記カーソルを移動させることなく、前記入力操作によるカーソルの移動方向の反対方向に前記表示画像をスクロールすることを特徴とする画像処理装置。
【請求項４】
請求項１ないし３のいずれか１に記載の画像処理装置において、前記表示画像を表示させる表示画面の大きさ情報を入力する手段を有し、
前記カーソル移動範囲は、前記表示画面の大きさ情報に基づいて、自動的に設定されることを特徴とする画像処理装置。
【請求項５】
請求項１ないし４のいずれか１に記載の画像処理装置において、前記カーソル移動範囲の有効／無効を切り替えるカーソル移動範囲設定切替手段を有することを特徴とする画像処理装置。
【請求項６】
請求項１ないし５のいずれか１に記載の画像処理装置において、前記表示画像は、電子番組表の画像であることを特徴とする画像処理装置。
【請求項７】
請求項１ないし５のいずれか１に記載の画像処理装置において、前記表示画像は、メニュー画像であることを特徴とする画像処理装置。
【請求項８】
受信した放送信号を表示する表示装置を備えたテレビジョン受信機であって、該テレビジョン受信機は、請求項１ないし７のいずれか１に記載の画像処理装置を備え、該画像処理装置から出力される前記表示画像を、前記表示装置に表示可能としたことを特徴とするテレビジョン受信機。
【請求項９】
受信した放送信号を、記憶装置または記憶媒体に所定形式で記憶する記憶手段と、該記憶手段が記憶した所定形式の放送信号を再生出力する再生手段とを有する記憶再生装置であって、該記憶再生装置は、請求項１ないし７のいずれか１に記載の画像処理装置を備え、該画像処理装置から出力される前記表示画像を出力可能としたことを特徴とする記憶再生装置。
【発明の詳細な説明】
【技術分野】
【０００１】
本発明は、画像処理装置、テレビジョン受信機、及び記憶再生装置に関し、より詳細には、電子番組表やメニューなどのカーソル操作を行う表示画面を生成処理が可能な画像処理装置と、該画像処理装置を備えたテレビジョン受信機及び記憶再生装置に関する。
【背景技術】
【０００２】
例えばデジタル・テレビジョン放送では、ＥＰＧ（Electrical Program Guide：電子番組ガイド）情報が番組と同時に伝送され、ユーザヘの便宜が図られている。
ＥＰＧは、放送局やサービス提供業者等から送信されるテレビ番組の放送予定データであり、通常、番組の放送予定日、時間帯、チャンネル番号、番組名、出演者、番組内容概要などが番組毎に記載されている。ユーザは、ＥＰＧによる電子番組表を画面表示させることにより、放送番組の確認、視聴予約、録画予約等を行うことができる。
【０００３】
上記のような電子番組表の表示技術に関し、例えば、特許文献１には、リモコンのモードキーを押すことにより、カーソルで選択した選択番組セルと共通するジャンルまたはキーワードが共通する共通番組セルにのみに色付けすることにより、表示画面を切り替えることなく共通する番組を番組表上で容易に認識できるようにした番組表示装置が開示されている。
【特許文献１】特開２００５−２２９２４６号公報
【発明の開示】
【発明が解決しようとする課題】
【０００４】
近年では、特にテレビジョン受信機の大画面化が進行し、将来は１００インチクラスの巨大画面を持ったテレビジョン受信機も市場に登場するものと考えられる。
また大画面のテレビジョン受信機であっても、そのテレビジョン受信機が設置される部屋の大きさが変化するわけではなく、狭い部屋で大画面のテレビジョン受信機が視聴される、という視聴環境も存在する。
【０００５】
従来の電子番組表は、テレビジョン受信機の画面の大きさに関係なく、その表示画面全体に表示される。この場合、例えば図５に示すような大画面を持ったテレビジョン受信機においても同様である。
しかしながら、特に上記のような大画面のテレビジョン受信機においては、電子番組表が画面全体に表示されていると、視聴者の視点を画面全域に移動させなければならず、視聴者にとっては見にくくなって、操作性の悪い画面となってしまう。さらに、例えば一般的な日本住宅の室内で大画面のテレビジョン受信機を視聴するような場合、大画面を近距離から視聴することになり、視点を変化させる角度も大きくなってさらに見にくい画面となってしまう。
【０００６】
例えば、図５に示すような画面全体に電子番組表を表示し、電子番組表上を移動させるカーソルの移動範囲も全画面の領域に及ぶ。このときに、ユーザの視点は、通常カーソルに伴って移動するため、視点の移動量が大きくなり、大画面を広範囲に見渡す必要が生じる。この場合、上記のように狭い室内で視聴する場合には、視点が変化する角度も大きくなって、ユーザにとっては非常に見にくい画面となってしまう。
【０００７】
また視点の移動量を小さくするために、電子番組表の一部を切り取って小さく表示することも考えられるが、この場合は、電子番組表の一覧性が犠牲になってしまう。また一覧性を確保し、かつ視点の移動量を少なくできるように電子番組表を縮小して表示することも考えられるが、この場合は文字が小さくなって読みにくくなるという問題が生じる。
【０００８】
上記のような問題は、電子番組表のみならず、例えばテレビジョン受信機のメニュー画面など、主に文字情報を表示し、ユーザがカーソルの操作を行うことによって所定の機能を設定できるようにした画面においても同様に問題となることがある。
例えばメニュー画面が、画面全体あるいは画面上の広い領域に表示されるとき、ユーザの視点は、カーソルを追いながら移動するため、視点変化の角度が大きくなって見にくくなる、という問題が生じる。
【０００９】
また電子番組表やメニューの表示機能は、テレビジョン装置のみならず、例えばＨＤＤレコーダ、ＤＶＤレコーダ、ＨＤＤ内蔵ＤＶＤレコーダ等の記憶再生装置にも備えられる。そして電子番組表を用いた録画・再生予約やメニューの項目選択時に、大画面の表示装置を用いてこれらを表示させると上記テレビジョン装置と同様の問題が生じることになる。
【００１０】
特許文献１記載のテレビジョン受信機は、カーソルモードキーを押すことにより、ジャンルや番組名、出演者名などのカテゴリー単位でカーソルを移動することができるため、少ないキー操作で所望の番組を探索できる、という効果を有するが、上記のように画面全体の視点移動を抑制して表示を見やすくする、という思想については何ら開示されていない。
【００１１】
本発明は、上述のごとき実情に鑑みてなされたもので、視聴者の視点移動を少なくして、視聴者にとって読みやすく操作が容易な画面表示を可能とする画像処理装置、該画像処理装置を備えたテレビジョン受信機、及び記憶再生装置を提供することを目的とする。
【課題を解決するための手段】
【００１２】
上記課題を解決するために、第１の技術手段は、カーソルにより操作を行う表示画像を生成して出力する手段と、カーソルの移動操作を受け付ける操作入力手段とを有する画像処理装置であって、画像処理装置は、カーソルの移動可能な範囲であるカーソル移動範囲が設定され、表示画像において、カーソル移動範囲の中でのみカーソルの移動を可能とすることを特徴としたものである。
【００１３】
第２の技術手段は、第１の技術手段において、カーソル移動範囲を設定するためのカーソル移動範囲設定手段を有することを特徴としたものである。
【００１４】
第３の技術手段は、第１または第２の技術手段において、カーソル移動範囲の最も外側にカーソルが位置し、さらにカーソルがカーソル移動範囲の外側に向かって移動させるような入力操作があった場合、カーソルを移動させることなく、入力操作によるカーソルの移動方向の反対方向に表示画像をスクロールすることを特徴としたものである。
【００１５】
第４の技術手段は、第１ないし第３のいずれか１の技術手段において、表示画像を表示させる表示画面の大きさ情報を入力する手段を有し、カーソル移動範囲は、表示画面の大きさ情報に基づいて、自動的に設定されることを特徴としたものである。
【００１６】
第５の技術手段は、第１ないし第４のいずれか１の技術手段において、カーソル移動範囲の有効／無効を切り替えるカーソル移動範囲設定切替手段を有することを特徴としたものである。
【００１７】
第６の技術手段は、第１ないし第５のいずれか１の技術手段において、表示画像が、電子番組表の画像であることを特徴としたものである。
【００１８】
第７の技術手段は、第１ないし第５のいずれか１の技術手段において、表示画像が、メニュー画像であることを特徴としたものである。
【００１９】
第８の技術手段は、受信した放送信号を表示する表示装置を備えたテレビジョン受信機であって、テレビジョン受信機は、第１ないし第７のいずれか１の技術手段における画像処理装置を備え、画像処理装置から出力される表示画像を、表示装置に表示可能としたことを特徴としたものである。
【００２０】
第９の技術手段は、受信した放送信号を、記憶装置または記憶媒体に所定形式で記憶する記憶手段と、記憶手段が記憶した所定形式の放送信号を再生出力する再生手段とを有する記憶再生装置であって、記憶再生装置は、第１ないし第７のいずれか１の技術手段における画像処理装置を備え、画像処理装置から出力される表示画像を出力可能としたことを特徴としたものである。
【発明の効果】
【００２１】
本発明によれば、視聴者の視点移動を少なくして、視聴者にとって読みやすく操作が容易な画面表示を可能とする画像処理装置、該画像処理装置を備えたテレビジョン装置、及び記憶再生装置を提供することができる。
特に本発明によれば、カーソルの移動を制限するカーソル移動範囲を設定するとともに、表示画面に表示された表示画像をスロールさせることにより、必要な情報を視聴者の所望する任意の範囲に移動させることができ、文字が読みやすくなって操作性を向上させることができる。また同時に全画面を見渡すことで、大画面による一覧性のメリットを享受することができる。
【発明を実施するための最良の形態】
【００２２】
図１は、本発明による画像処理装置の一実施形態を示すブロック図で、地上波、デジタル放送を受信するテレビジョン受信機として構成した画像処理装置を示すものである。
【００２３】
テレビジョン受信機１００のフロントエンド部１１０は、アンテナ１で受信したデジタル放送信号を選局するチューナ部２と、選局した放送信号を復調する復調回路３と、復調した放送信号の誤り訂正処理を行う誤り訂正部４とを有している。
またトランスポート部１２０はトランスポートデコーダ５を有し、フロントエンド部１１０により誤り訂正された放送信号は、トランスポートデコーダ５で、映像信号、音声信号、及びデータ信号に分離される。
【００２４】
ＭＰＥＧデコード部１３０は、ＭＰＥＧデコーダ６と、ビデオエンコーダ８と、ＯＳＤ表示部７と、音声ＤＡＣ９とを有している。そしてトランスポートデコーダ５で分離された信号は、ＭＰＥＧデコード部１３０でデコードされ、映像信号はビデオエンコーダでエンコードされてＬＣＤ等の表示装置に映像出力される。またデコードされた音声信号は、音声ＤＡＣ９で音声出力に適した信号となるように変換され、スピーカ等に音声出力される。
【００２５】
またＭＰＥＧデコーダ６でデコードされたデータ信号は、ＲＡＭ１２に一旦保持された後、データ信号に含まれる電子番組表、あるいは放送番組に関する関連情報等のデータがＯＳＤ表示部７に入力する。
【００２６】
ＯＳＤ表示部７では、チャンネル、音量、時刻などの設定情報やこれらを設定するためのメニュー、もしくは上記放送波に含まれる電子番組表（ＥＰＧに基づく番組表）などを映像信号に重ねて表示するためのＯＳＤ信号を生成する。
ビットマップ形式で保持されているＯＳＤ用のデータは、ＯＳＤ表示部７でＹＵＶ形式の画素データに変換され、ＯＳＤデータとしてビデオエンコーダ８に出力される。ビデオエンコーダ８では、ＯＳＤ表示部７から出力されたＯＳＤデータを、ＭＰＥＧデコーダ６でデコードされた放送映像信号に重畳して映像出力する。
【００２７】
上記フロントエンド部１１０、トランスポート部１２０、及びＭＰＥＧデコード部１３０は、ＣＰＵ１０により制御される。
ＣＰＵ１０に対しては、制御プログラムや固定データ等を記憶するＲＯＭ１１、ＣＰＵ１０の実行・作業用記憶領域であるＲＡＭ１２、ＥＥＰＲＯＭや電源バックアップされたＲＡＭ等からなる不揮発性補助記憶装置１３、赤外線通信等を行うための入出力インターフェース（Ｉ／Ｆ）１４、ユーザ操作入力を受付ける入力Ｉ／Ｆ１５、及びＬＡＮポート１６、及びモデムポート１７が接続される。ＬＡＮポート１６は、ローカル通信ネットワークに接続され、モデムポート１７は、インターネットや専用回線からなるインターネット網１８に接続される。
【００２８】
ＣＰＵ１０は、テレビジョン受信機１００全体の制御を行うとともに、電子番組表やメニュー等のカーソル表示画面においてカーソルの移動範囲を制限し、これに伴う表示画面をスクロールする制御を行う。カーソルにより操作を行う表示画面を生成して出力する手段は、ここではＯＳＤ表示部７である。カーソル移動範囲に関わる制御の具体的な例は後述する。
【００２９】
ＲＯＭ１１は、制御プログラムや固定データ等を記憶するメモリであり、ＣＰＵ１０はこれら制御プログラムやデータを使用して、各種機能を実現する。
また不揮発性補助記憶装置１３には、電源ＯＦＦ以降、次回電源ＯＮまで保持しなければならない作業データ、補助プログラムなどが格納される。この不揮発性補助記憶装置１３は、本体から取り外しが可能なカード型外部拡張記憶媒体であってもよい。
【００３０】
入出力Ｉ／Ｆ１４は、ＩｒＤＡ（Infrared Data Association）による赤外線データ通信やＵＳＢ（Universal Serial Bus）などを使用した有線通信により外部周辺機器と通信を行う。
また入力Ｉ／Ｆ１５は、十字キー，テンキーなどを備えるキー入力部やリモコン装置などの操作入力部（図示略）などが接続され、ユーザからのキー操作情報を受付ける。これらリモコン装置や操作入力部により、電子番組表やメニュー上のカーソル操作や、カーソル移動範囲の設定などを行なうことができる。カーソルの移動操作を受け付ける操作入力手段は、入力Ｉ／Ｆ１５もしくは入出力Ｉ／Ｆ１４が該当する。
【００３１】
ＬＡＮポート１６は、ＡＶネットワークシステムを構成する他のＡＶ機器とローカル通信を行うとともに、モデムポート１７への接続を行う。またモデムポート１７は、インターネット網１８を使用して外部機器と通信を行う。
【００３２】
電子番組表データは、上述のように、アンテナ１で受信した放送波に含まれるデータ信号から取得することができる。電子番組表データはＲＡＭ１２や不揮発性補助記憶装置１３等に記憶させておく。また放送局では、電子番組表データを定期的に放送しているため、画像処理装置１０では、ＲＡＭ１２や不揮発性補助記憶装置１３に記憶している電子番組表データを適宜更新させることができる。
【００３３】
また電子番組表データは、放送波から取得する以外に、ＥＰＧ配信サービスを提供するサーバ装置から、インターネット網１８を介して取得することもできる。この場合、ユーザ操作に従って、テレビジョン受信機１００からオンデマンドで電子番組表データを取得し、ＲＡＭ１２や不揮発性補助記憶装置１３等に記憶させておくことができる。
【００３４】
ユーザが電子番組表を利用する場合、入力Ｉ／Ｆ１５や入出力Ｉ／Ｆ１４に対する所定のユーザ操作に従って、ＣＰＵ１０の制御により、ＲＡＭ１２や不揮発性補助記憶装置１３に記憶された電子番組表データが読み出され、ビデオエンコーダ８から映像出力される。ユーザは、その映像出力を表示した表示画面を確認しながら所望の操作を行うことができる。
【００３５】
またメニュー用のデータは、ビットマップデータとしてＲＯＭ１１等に保持される。そしてＣＰＵ１０は、ユーザ操作等に応じてそのメニューデータを読み出し、ＯＳＤ表示部７でＯＳＤデータを生成させて、ビデオエンコーダ８に出力させる。ユーザは、ビデオエンコーダ８からの映像出力を表示した表示画面を確認しながら所望の操作を行うことができる。
【００３６】
図２は、本発明の画像処理装置におけるカーソル移動制限処理例を説明するための図で、２００は画像処理装置からの映像出力を表示した表示画面、Ｃはカーソル、Ｒはカーソル移動範囲である。
本実施形態では、カーソルによる操作を行う表示画像として、電子番組表やメニューを表示画面２００に表示させるときに、カーソルの移動範囲を制限する処理を行う。以下本例では、電子番組表を例として説明する。
【００３７】
本実施形態では、大画面であってもユーザの視点の移動が少なくてすむように、カーソルＣの移動を特定の範囲に制限するためのカーソル移動範囲Ｒを設定する。カーソルの移動範囲Ｒは、視聴者の所望に応じてその位置や大きさを設定することができる。
【００３８】
電子番組表に表示されるカーソルＣは、設定されたカーソル移動範囲Ｒでのみ可能となる。このため、カーソルＣを追う視聴者の視点の移動は、カーソル移動範囲Ｒの大きさに限定され、従来のように視点の移動量が多くなって見にくくなるという問題は生じない。
また電子番組表自体は、従来と同様に画面全体に表示されているため、電子番組表の一覧性については従来と同様である。
【００３９】
電子番組表の任意の位置にカーソルＣを移動させる場合、目的の位置がカーソル移動範囲Ｒの中に含まれていれば、そのままカーソルを移動させることができる。またカーソル移動範囲Ｒの外に存在する位置にカーソルを移動させたい場合には、電子番組表自体を画面内でスクロールさせて、目的の部分をカーソル移動範囲Ｒの中に移動させる。
【００４０】
図３は、上記のような電子番組表のスクロール表示例を説明するための図である。
まず図３（Ａ）に示すように、カーソル移動範囲Ｒが画面の左下角に設定されているものとする。そして電子番組表上でユーザが所望する項目Ｑが、画面の右上方部に表示されているものとする。
【００４１】
このとき上述のように、カーソルＣはカーソル移動範囲Ｒの中でしか移動することができない。この場合、まずユーザは、カーソルＣをカーソル移動範囲Ｒの上限の位置に移動させ、さらにカーソルＣを上方に移動させるような操作を行う。
【００４２】
このときカーソルＣは、図３（Ｂ）に示すようにカーソル移動範囲Ｒの上限まで移動した後、その場所で止まる。そしてさらに継続してカーソルＣを上方に移動させる操作が行われているため、今度は電子番組表自体が下方にスクロールする。そして所望の項目Ｑが適当な位置まで下がってきた時点で、カーソルＣの移動操作を停止する。
このときに、カーソルを移動させるための方向キーを所定時間以上押し続けたときに、スクロール速度が速くなるように制御してもよい。
【００４３】
次にユーザは、カーソルＣをカーソル移動範囲Ｒの右端の位置まで移動させ、さらにカーソルＣを右方向に移動させるような操作を行う。
このときカーソルは、図３（Ｃ）に示すようにカーソル移動範囲Ｒの右端まで移動してその場所でとまる。そしてさらに継続してカーソルを右方向に移動させる操作が行われているため、今度は電子番組表自体が左方向にスクロールする。そして所望の項目Ｑがカーソル移動範囲Ｒの中に入った時点で、カーソルの移動操作を停止する。あとは、カーソルを項目Ｑ上に移動させて、選択の確定操作等を実行すればよい。
【００４４】
このように、カーソル移動範囲Ｒを適宜定めることにより、ユーザ操作の際に画面を見やすくすることができ、さらにカーソルの移動操作に応じて電子番組表自体をスクロールさせることにより、カーソル移動範囲を限定しても電子番組表全体を有効に利用することができるようになる。
【００４５】
カーソル移動範囲Ｒは予め設定され、電子番組表データと同様にＲＡＭ１２等の記憶手段に保持しておく。そしてＣＰＵ１０は、電子番組表の表示を指示するユーザ操作に従って、電子番組表データとカーソル移動範囲データを記憶手段から読み出し、カーソル移動範囲Ｒが設定された状態で電子番組表の映像出力を生成させる。
【００４６】
またカーソル移動範囲設定入力用画面ＯＳＤデータを記憶手段に保持しておき、ユーザ操作に従ってそのカーソル移動範囲設定入力用画面を読み出して、ＯＳＤ表示部７でＯＳＤ画像として生成し、映像出力させることができる。
ユーザは、そのカーソル移動範囲設定入力用画面に従って設定入力することにより、カーソル移動範囲の設定変更を行なうことができる。これらカーソル移動範囲設定を可能とするデータ及びＣＰＵ１０、及び入力Ｉ／Ｆ１５や入出力Ｉ／Ｆ１４による操作入力手段によって本発明のカーソル移動範囲設定手段が実現される。
【００４７】
またカーソル移動範囲設定入力用画面において、カーソル移動範囲の設定の有効／無効を切替え可能としてもよい。ユーザは、この設定入力用画面に従って、カーソル移動範囲の有効／無効を任意に設定することができる。これにより本発明のカーソル移動範囲設定切替手段が実現される。
またこのときに、電子番組表や特定のメニューのときにのみ、カーソル移動範囲の設定を有効にするような入力用画面を作成してもよい。
【００４８】
またこの他、表示装置の画面の大きさ情報を取得する手段を設け、その画面の大きさ情報に従って、カーソル移動範囲の位置と大きさを設定できるようにしてもよい。
この場合、例えば、画面の大きさが変更されてもカーソル移動範囲の大きさをほぼ同程度に設定するような制御が可能となる。また画面の大きさ情報を取得する手段としては、使用する表示装置の画面の大きさをユーザが入力するようにしてもよく、また表示装置に画面の大きさの情報を出力する手段を設けて、その出力値から使用画面の大きさ情報を取得するようにしてもよい。
【００４９】
図４は、本発明に関わる画像処理装置のカーソル移動制限処理例を説明するためのフローチャートである。
画像処理装置のＣＰＵ１０は、電信番組表やメニュー等の表示画像上にカーソルが表示されている状態で、カーソルの移動操作があるかどうかを判別する（ステップＳ１）。カーソルの移動操作は、上述のようにキー入力部やリモコン装置等の操作入力部に対するユーザ操作により行なわれる。
【００５０】
カーソル移動操作があった場合、予め設定されているカーソル移動範囲の最も外側の位置にカーソルがあるかどうかを判断する（ステップＳ２）。
ここでカーソル移動範囲の最も外側位置にカーソルがなければ、そのカーソル移動操作に従ってカーソルを移動させ（ステップＳ７）、ステップＳ１に戻ってさらにカーソル移動操作があるかどうかを判断する。
【００５１】
ステップＳ２で、カーソルがカーソル移動範囲の最も外側にある場合、さらにカーソル移動範囲の外に向かう方向（Ｐとする）にカーソルの移動操作が行なわれているかどうかを判別する（ステップＳ３）。
ここで方向Ｐに移動操作が行なわれている場合、カーソルはカーソル移動範囲を超えて移動することができないため、電子番組表を方向Ｐの反対方向にスクロールさせる（ステップＳ４）。
【００５２】
そしてカーソル移動操作が停止したかどうかを判別し（ステップＳ５）、カーソル移動操作が停止していれば、電子番組表のスクロールを停止する（ステップＳ６）。そしてステップＳ１に戻って、さらにカーソルの移動があるかどうかを判別する。
【００５３】
また上記ステップＳ３で、方向Ｐではない方向にカーソル移動操作が行なわれている場合、カーソル移動範囲内への移動であるものとみなされるため、ステップＳ７に進み、カーソル移動操作に従ってカーソルを移動させる。
【００５４】
このようにして、カーソルをカーソル移動範囲の中で移動させ、カーソル移動範囲の外に向かってカーソル移動操作が行なわれたときには、電子番組表等の表示画像をスクロール表示させるように制御する。
ユーザはカーソル位置に応じて、適宜電子番組表やメニューを使用した操作入力を行なうことができる。
【００５５】
上記実施形態においては、デジタル放送を受信するテレビジョン受信機として構成した画像処理装置の一例を示した。テレビジョン受信機は、上記図１の画像処理装置と、映像出力を表示する表示装置と、音声出力するスピーカとを備え、画像処理装置から出力される電子番組表やメニュー等の表示画像を、表示装置に表示可能に構成される。
【００５６】
また本発明は、アナログ放送を受信するテレビジョン装置にも適用することができる。アナログ放送信号の場合も、受信した放送波から放送信号を復調し、映像信号、音声信号成分、及び電子番組表データに分離する。電子番組表データは、例えばアナログ放送波の垂直帰線区間に重畳されて放送されている。
そして電子番組表データやメニューデータを所定の記憶手段に記憶させておき、それを表示する際に、上記のようなカーソル移動範囲を表示させ、カーソル移動制御と電子番組表のスクロール制御とを行なうようにすればよい。
【００５７】
さらに本発明は、ＨＤＤなどの内部記憶手段、あるいはＤＶＤ等の外部記憶媒体とのＩ／Ｆ部を適宜備えて、ＨＤＤレコーダ、ＤＶＤレコーダ、ＨＤＤ内蔵ＤＶＤレコーダ等の記憶再生装置として構成することができる。この場合、図１の画像処理装置に対して、ＨＤＤ等の内部記憶媒体や、外部記憶媒体とのＩ／Ｆ部とが必要に応じて付加され、バス上に接続される。
記憶再生装置のＣＰＵ１０は、チューナ部２や、ＬＡＮポート１６、モデムポート１７などから入力する放送信号を、ＨＤＤ等の内部記憶手段やＤＶＤ等の外部記憶媒体に所定形式で記憶する制御を行い、さらにユーザ操作等に応じてその記憶手段や外部記憶媒体が記憶した放送信号を再生出力する制御を行う。
【００５８】
そしてチューナ部２やモデムポート１７等から取得した電子番組表データや、予め用意されているメニューデータをＲＡＭ１２等の所定の記憶手段に記憶させておき、それを記録再生装置に接続した表示装置に表示する際に、上記のようなカーソル移動範囲を表示させ、カーソル移動制御と電子番組表のスクロール制御とを行なうようにすればよい。
【図面の簡単な説明】
【００５９】
【図１】本発明による画像処理装置の一実施形態を示すブロック図である。
【図２】本発明の画像処理装置におけるカーソル移動制限処理例を説明するための図である。
【図３】電子番組表のスクロール表示例を説明するための図である。
【図４】本発明に関わる画像処理装置のカーソル移動制限処理例を説明するためのフローチャートである。
【図５】従来の電子番組表の表示例を説明するための図である。
【符号の説明】
【００６０】
１…アンテナ、２…チューナ部、３…復調回路、４…誤り訂正部、５…トランスポートデコーダ、６…ＭＰＥＧデコーダ、７…ＯＳＤ表示部、８…ビデオエンコーダ、９…音声ＤＡＣ、１０…ＣＰＵ、１１…ＲＯＭ、１２…ＲＡＭ、１３…不揮発性補助記憶装置、１４…入出力Ｉ／Ｆ、１５…入力Ｉ／Ｆ、１６…ＬＡＮポート、１７…モデムポート、１８…インターネット網、１００…テレビジョン受信機、１１０…フロントエンド部、１２０…トランスポート部、１３０…ＭＰＥＧデコード部。
【図１】
2007329571.tif 000003
【図２】
2007329571.tif 000004
【図３】
2007329571.tif 000005
【図４】
2007329571.tif 000006
【図５】
2007329571.tif 000007